(57)【要約】【課題】この発明は上述の点に鑑みてなされたもので、通常は化粧品や財布等の各種物品を収納して手提げ又は肩掛けバックとして使用でき、正座する時は物品を収納したまま正座椅子として使用出来る手提げ又は肩掛けバック兼用正座椅子を提供することを目的とする。【解決手段】上記課題を解決するため請求項１に記載の発明は、底部を上に開口部を下にして尻下に置いて正座いすとして使用出来る剛性と寸法・形状を有する容器と、底部を有し開口部が開閉自在に中袋体と、手提げ又は肩掛けバック体を具備し、前記容器を前記中袋体に其の底部が互いに接触するように収納した事を特徴とする。【選択図】図  ４
2006061654.tif 000002
【特許請求の範囲】
【請求項１】
底部を上に開口部を下にして尻下置いて正座椅子として使用できる剛性と・形状を有する容器と、底部を有し開口部が開閉自在に中袋体と、手提げ又は肩掛けバック体を具備し、
前記容器を前記中袋体にその底部が互いに接触するように収納し、該容器を収納した中袋体を手提げ又は肩掛けバック体にその底部が互いに接触するように収納したことを特徴とする手提げ又は肩掛けバック兼用正座椅子。
【請求項２】
請求項１に記載の手提げ又は肩掛けバック兼用正座椅子において、
前記容器底部と前記中袋底部の間にはクッション材が介在していることを特徴する手提げ又は肩掛け兼用正座椅子。
【請求項３】
請求項１又は２に記載の手提げ又は肩掛けバック兼用正座椅子において、
前記中袋体と前記手提げ又は肩掛けバック体は一体的に結合されていること特徴とする手提げ又は肩掛けバック兼用正座椅子。
【請求項４】
請求項１又は２又は３に記載の手提げ又は肩掛けバック兼用正座椅子において、
前記中袋体は布織物からなることを特徴とする手提げ又は肩掛けバック兼用正座椅子。
【請求項５】
請求項１乃至４の何れか１項に記載の手提げ又は肩掛け兼用正座椅子において、
前記手提げ又は肩掛けバック体は布織物又は人工レザー又は天然皮からなることを特徴とする手提げ又は肩掛けバック兼用正座椅子。
【発明の詳細な説明】
【技術分野】
【０００１】  本発明は通常は手提げ又は肩掛けバックとして使用でき、正座する際には正座椅子として使用できる手提げ又は肩掛けバック兼用正座椅子に関するものである。
【背景技術】
【０００２】従来、持ち運びできる携帯用椅子には、例えば下記特許文献１乃至４に記載されたものがある。特許文献１には、尻当て座の中央下部に支持軸の上部を挿入する上部支持穴を設け、支持軸の下部を挿入する下部支持穴を有する支持台を設けた分解組立て式正座椅子が示されている。【０００３】特許文献２には、同形同寸法の長方形状板２孜の一端を屈伸自在な金具等で結合して、この接合部を支持部として板両端を帯状素材で貼着し、帯状材を椅子の座部とした携帯用折畳み正座椅子が示されている。【０００４】特許文献３には、上部にクッションを有する座部及び該座部を支持する支持脚とを有する座椅子と、内袋と、外袋を具備し、内袋内に前記座椅子を座部のクッションを下方にして収納し、外袋にこの座椅子を収納した内袋が収納され、該外袋に開口部に開け閉め及び吊り下げ兼用の紐が設けられたクッション付携帯用椅子が記載されている。【０００５】特許文献４には、周囲を気にする事無く即座に使用することが出来、見栄よく、しかも安定性をもって長時間着座できると共に、ソフト感覚を有し快適に持ち運ぶ事が出来る携帯用座椅子が記載されている。
【特許文献１】特開平８−２５６８７７号公報
【特許文献２】実開昭６１−９７９５０号公報
【特許文献３】実開平３−１６４５６号公報
【特許文献４】特開２００１−３２７３５４号公報
【発明の開示】
【発明が解決しようとする課題】
【０００６】特許文献１に記載されている分解組立て式正座椅子は、堅牢な構造を有するものの、使用に際、組立ての手間を要し、特に高齢者や目の不自由な人では組立て作業が困難であり又座部の下面に連結して底部を支持する支持脚とから、全体形状が略十字形に形成されているので、姿勢を変えた際に支持脚が折損し易く安全性に欠けると云う問題点を有している。【０００７】特許文献２に記載されている携帯用折畳み正座椅子は、折り畳めて全体にコンパクトにできるが、床面等と接地する部分が狭くなるので着座した場合に不安定で横転の恐れも考えられる、クッション部分がなくて、座り心地が悪く長時間の使用には適さないという問題点を有している。【０００８】特許文献３に記載されているクッション付き携帯用座椅子は、座部の支持部をカバー袋から露出させて、この支持部を畳み面や床面に接地させた状態で用いられるので、即座には使用することが出来ず周囲を気にしながらの使用に問題があった、又携帯用座椅子が硬質の為持ち運びの際ごつごつとして不快な感覚を与え重量も大きくなり携帯しずらいという問題点があった。【０００９】特許文献４に記載されている携帯用座椅子は、持ち運びの利便性と使用時の見栄が重視されて、袋カバー紐部分のみの収納部分を形成されて有るが、貴重品小間物等の収納部分が欠けている、従って他にバックをもう一つ携帯しなければならない欠点がある、又台座形成に２種類の違う素材を使用製作するために時間が長く掛かる問題がある。【００１０】本発明は上述の点に鑑みてなされたもので、通常は化粧品や財布等の各種物品を収納して手提げ又は肩掛けバックとして使用でき、正座する時は物品を散逸することなく収納したまま正座椅子として使用できる手提げ又は肩掛けバック兼用正座椅子を提供することを目的とする。
【課題を解決するための手段】
【００１１】上記課題を解決するため請求項１に記載の発明は、底部を上に開口部を下にして尻下に置いて正座椅子として使用できる剛性と寸法・形状を有する容器と、底部を有し開口部が開閉自在に中袋体と、手提げ又は肩掛けバック体を具備し、前記容器を前記中袋体にその底部が互いに接触するように収納し、該容器を収納した中袋体を手提げ又は肩掛けバック体にその底部が互いに接触するように収納したことを特徴とする。【００１２】請求項２に記載の発明は、請求項１に記載の手提げ又は肩掛けバック兼用正座椅子において、前記容器底部と前記中袋底部の間にはクッション材が介在していることを特徴とする。【００１３】請求項３に記載の発明は、請求項１又は２に記載の手提げ又は肩掛けバック兼用正座椅子において、前記中袋体と前記手提げ又は肩掛けバック体は一体的に結合されていることを特徴とする。【００１４】請求項４に記載の発明は、請求項１又は２又は３に記載の手提げ又は肩掛けバック兼用正座椅子において、前記中袋体は布織物からなることを特徴とする。なお布織物とは綿・絹・合成繊維等の其の一つ又は二つ以上の混紡製品も含まれる。【００１５】請求項５に記載の発明は、請求項１乃至４のいづれかの１項に記載の手提げ又は肩掛けバック兼用正座椅子において、前記手提げ又は肩掛けバック体は布織物又は人工レザー又は天然皮からなることを特徴とする。
【発明の効果】
【００１６】請求項１に記載の発明によれば、容器を中袋体にその底部が互いに接触するように収納し、該容器を収納した中袋体を手提げ又は肩掛けバック体にその底部が互いに接触するように収納したので、通常は中袋体の開口部から容器内に化粧品や財布等の各種物品を収納して手提げ又は肩掛けバックとして使用でき、正座するときは、散逸することなく、手元管理して、容器内に物品を収納したまま中袋体及びバックの開口部を下方にして折りたたみ底部を上にして尻下に置き正座椅子として使用できる手提げ又は肩掛けバック兼用正座椅子を提供できる。【００１７】請求項２に記載の発明によれば、容器底部と中袋底部の間にはクッション材が介在しているので、正座椅子として使用した場合、お尻にソフトな感覚を与え、長期間の正座に適したものとなる。【００１８】請求項３に記載の発明によれば、中袋体と手提げ又は肩掛けバック体は一体的に結合されているため、容器を収納した中袋体とバック体は一体となり、安定した状態に維持される。【００１９】  請求項４に記載の発明によれば、中袋体は布織物からなるので、中袋体を縫製加工により容器の外周に密接する形状で作ることができ容器が中袋体内で移動することなく、且つ容器の開口部を中袋体で覆い隠す状態となるので、バック体の開口部を開けても直ちに容器内部が他人の視覚に曝されることなく、見栄えがよくなる。
又、生け花講習会等で使用される鋭角な剪定ハサミ、剣山、小道具等を収納して周囲を気にすることなく持ち運びする事もできる。【００２０】  請求項５に記載の発明によれば、手提げ又は肩掛けバック体は布織物または人工レザー又は天然皮からなるので、外観は通常の手提げ又は肩掛けバックと同じになる。なお、布織物とは綿布、絹、麻織物などの他合成繊維等の混紡織物製も含まれる。
【発明を実施するための最良の形態】
【００２１】以下、本発明の実施の形態を図面に基づいて説明する。
図１乃至４は本発明に係る手提げ又は肩掛けバック兼用正座椅子を示す図である。尚、ここでは手提げ又は肩掛けバック兼用正座椅子を説明するが、例えばバックの紐を長く、或は伸縮自在とすれば肩掛けバック兼用正座椅子とすることもできる。図示するように、本手提げ又は肩掛けバック兼用正座椅子は、図１に示す容器と、図２に示す中袋体２と、図３に示す手提げバック体３とからなる。【００２２】容器１は開口部１ａと底部１ｂを有し、低部１ｂを上に開口部１ｂを下にして尻下に置いて正座椅子として使用できる剛性と・形状を有し、例えばプラスチックや藤材等により、正座椅子として使用した場合に違和感を与えない形状寸法に製作する。例えば、肥満体の人、痩せ型の人とに合わせた形状寸法としてもよい。また、容器１の底部１ｂ外表面には略同寸法で所定厚さのクッション材４が貼り付けられている。なおクッション材４としては弾性部材等の弾力性を有する樹脂材又は底部１ｂ外表面と同寸法の座布団状のものでもよい。【００２３】中袋体２は例えば布織物を縫製加工し、底部２ｂ及び開口部２ａを有する袋体とする。この袋体の寸法はその開口部２ａから容器１をその開口部１ａを上方と底部１ｂを下方にして収納した際、袋体内面が容器外周に密接する程度とするのが良い。また、中袋体２の開口部２ａは容器１の開口部全面を覆っても余裕がある程度の寸法を有している。また、開口部２ａの端部は開閉できるように、縛り紐２ｃを設けている。また、中袋体２の開口部２ａと縛り紐２は外観などの見栄えを良くするたにデザイン性を活かして装飾などを施すのもよい。【００２４】手提げバック体３は、外観が通常の手提げバックで、手提げバック本体３ａは底部３ｃ及び開口部３ｂを有し、開口部３ｄの端部から延在する手提げ用紐３ｄが設けられている。バック本体３ａは、布織物、天然皮又は人工レザーや合成繊維等からなり、これらを縫製加工を施し製作する。手提げ紐３ａを長くするか又は伸縮自在にして使用することにより肩掛けバックともなる。【００２５】上記容器１を中袋体２内に、底部１ｂと底部２ｂの間にクッション材４が介在するように接触させて収納し、更に容器１を収納した中袋体２を手提げバック体３に其の底部３ｃと中袋体２ｂの底部２ｂが互いに接触するように収納した図４に示すような、手提げ又は肩掛けバック兼用正座椅子ができる。なお、中袋体２と手提げバック体３は縫い付けるなどして、一体的に連結する事により、中袋体２は手提げバック体３内に安定した状態で収まる。【００２６】手提げ又は肩掛けバック袋体３表面生地と持ち手部分に刺繍、パッチワーク、文様、手芸ビーズ等の装飾を施すことや美麗な素材を用いて加工することができ趣向を実用的に活かして手提げ又は肩掛けバック兼用正座椅子４の持ち運びが快適に出来る。【００２７】台座容器１は合成樹脂の所定強度を有した小型の台座形状に形成され表袋体と中袋体が一体化されて縫製を施してあるので長期間の使用に変質や変形したりする事無く何時でも快適な座り心地を維持することが出来る、又経済性を重視し安価で堅牢な子供用風呂イスなどを台座容器１として使用することが出来る。【００２８】正座椅子６を使用する際の正座椅子６おおよその着座規準寸法は長軸２５ｃｍ短軸２１ｃｍ高さ１３ｃｍ重量０．４ｋｇ楕円形状に形成し長時間にわたる正座を楽に使用することが出来る。【００２９】手提げ又は肩掛けバック兼用正座椅子３収納部３ａは中袋体２と表袋体３との間に樹脂加工の容器を強固に縫製されており貴重品、小間物、手荷物等を収納していろいろな交通機関を利用しての持ち運びが安心で支障なく使用できる。【００３０】結婚式、葬儀、講習会等で長く正座しなければならないような場合に手提げ又は肩掛けバック兼用正座椅子３を服装に頓着なく貴重品小間物など収納３ａ携帯し手提げ又は肩掛けバック体を逆さにして図５の構成で正座椅子６を形成して正座椅子として使用することで姿勢を正しく保ち足腰の痛みが防止することが出来る。【００３１】手提げ又は肩掛けバック兼用正座椅子体は特に高齢者、脚腰や身体に支障をお持ちの方々に無理なく長時間にわたる正座などが可能になる。
【図面の簡単な説明】
【００３２】
【図１】手提げ又は肩掛けバック兼用正座椅子の容器を示す断面図
【図２】手提げ又は肩掛けバック兼用正座椅子の中袋体を示す図
【図３】手提げ又は肩掛けバック兼用正座椅子の手提げバック体を示す図
【図４】本発明に関わる手提げ又は肩掛けバック兼用正座椅子の図
【図５】手提げ又は肩掛けバック兼用正座椅子の構成一覧図
【図６】正座椅子の使用時の状態を示す姿図
【符号の説明】
【００３３】１    台座容器
１ａ  台座容器上開口部
１ｂ  台座容器底部
２    中袋体
２ａ  開口部
２ｂ  中袋体底部
２ｃ  開閉紐
３    手提げ又は肩掛けバック表袋体
３ａ  手提げ又は肩掛けバック収納部
３ｂ  手提げ又は肩掛けバック開口部
３ｃ  手提げ又は肩掛けバック底部
３ｄ  持ち手
４    クッション材
５    手提げ又は肩掛けバック兼用正座椅子
６    正座椅子
６ａ  正座椅子形状
７    表袋体折りたたみ点
【図１】
2006061654.tif 000003
【図２】
2006061654.tif 000004
【図３】
2006061654.tif 000005
【図４】
2006061654.tif 000006
【図５】
2006061654.tif 000007
【図６】
2006061654.tif 000008